(57)【要約】  本発明は、ユーザが迅速かつ容易にひび割れを計測できる計測支援装置及び計測支援方法を提供することを目的とする。本発明の一の態様に係る計測支援装置は、構造物の画像を取得する画像取得部と、構造物の測定面に生じたひび割れを計測するためのスケール画像であって、ひび割れの長さを測定するための目盛りと、ひび割れの幅を測定するための線画及び数字と、のうち少なくとも一方が付されたスケールを示すスケール画像を生成するスケール画像生成部と、構造物の画像とスケール画像とを重ね合わせて表示領域に表示する画像表示部と、を備え、スケール画像生成部は画像取得部と測定面との距離、及び測定面の向きに応じたスケール画像を生成し、画像表示部は、構造物の画像におけるひび割れの位置及び方向に応じた位置及び方向に生成したスケール画像を重ね合わせて表示する。
2017122641.tif 000002
【特許請求の範囲】
【請求項１】
構造物の画像を取得する画像取得部と、
前記構造物の測定面に生じたひび割れを計測するためのスケール画像であって、前記ひび割れの長さを測定するための目盛りと、前記ひび割れの幅を測定するための線画及び数字と、のうち少なくとも一方が付されたスケールを示すスケール画像を生成するスケール画像生成部と、
前記構造物の画像と前記スケール画像とを重ね合わせて表示領域に表示する画像表示部と、
を備え、
前記スケール画像生成部は前記画像取得部と前記測定面との距離、及び前記測定面の向きに応じたスケール画像を生成し、
前記画像表示部は、前記構造物の画像における前記ひび割れの位置及び方向に応じた位置及び方向に前記生成したスケール画像を重ね合わせて表示する、
計測支援装置。
【請求項２】
前記スケール画像生成部は、前記距離及び前記向きに応じた種類、形状、及び大きさのスケールを示すスケール画像を生成する請求項１に記載の計測支援装置。
【請求項３】
前記スケール画像が示す前記スケールは、前記種類、前記形状、及び前記大きさに対応して前記目盛り、前記線画、及び前記数字が異なる請求項２に記載の計測支援装置。
【請求項４】
前記画像表示部は、前記スケール画像を前記ひび割れの方向に沿って、または前記ひび割れの方向と直交した方向に沿って表示する請求項１から３のいずれか１項に記載の計測支援装置。
【請求項５】
ユーザの入力に応じて前記構造物の画像及び前記スケール画像を操作する画像操作部を備える請求項１から４のいずれか１項に記載の計測支援装置。
【請求項６】
前記画像操作部は、前記画像操作部による前記構造物の画像の操作に連動して前記スケール画像を操作する請求項５に記載の計測支援装置。
【請求項７】
前記表示領域は、前記構造物の画像及び前記スケール画像を表示する画像表示領域と、前記画像表示領域に表示可能な種類のスケールを示すスケール情報を表示するスケール情報表示領域と、を含み、
前記画像表示部は前記スケール情報表示領域に表示された複数のスケール情報のうちから選択したスケール情報に対応するスケール画像を前記画像表示領域に表示する、請求項１から６のいずれか１項に記載の計測支援装置。
【請求項８】
前記構造物の画像として前記構造物のステレオ画像を取得する光学系と、前記取得したステレオ画像に基づいて前記距離及び前記向きを算出する画像処理部と、を備える請求項１から７のいずれか１項に記載の計測支援装置。
【請求項９】
前記画像処理部は前記ステレオ画像から前記ひび割れの前記位置及び前記方向を検出し、前記画像表示部は前記検出した前記位置及び前記方向に基づいて前記スケール画像を表示する請求項８に記載の計測支援装置。
【請求項１０】
画像取得装置により構造物の画像を取得する画像取得工程と、
前記構造物の測定面に生じたひび割れを計測するためのスケール画像であって、前記ひび割れの長さを測定するための目盛りと、前記ひび割れの幅を測定するための線画及び数字と、のうち少なくとも一方が付されたスケールを示すスケール画像を生成するスケール画像生成工程と、
前記構造物の画像と前記スケール画像とを重ね合わせて表示領域に表示する画像表示工程と、
を備え、
前記スケール画像生成工程では前記画像取得装置と前記測定面との距離、及び前記測定面の向きに応じたスケール画像を生成し、
前記画像表示工程では、前記構造物の画像において、前記ひび割れの位置及び方向に応じた位置及び方向に前記生成したスケール画像を重ね合わせて表示する、
計測支援方法。
【発明の詳細な説明】
【技術分野】
【０００１】
本発明は構造物のひび割れの計測を支援する装置及び方法に係り、特にスケール画像を用いた計測支援装置及び計測支援方法に関する。
【背景技術】
【０００２】
橋梁、トンネル、道路、及びビル等の構造物にはひび割れ等各種の損傷が発生し、時間と共に進行してゆくため、構造物の安全を確保するには、損傷の状況に応じて補修を行う必要がある。従来、損傷の検査は作業員による目視あるいは器具を用いた検査により行われてきたが、作業時間及びコスト、作業場所の環境等の問題により、近年は画像処理を利用した検査が行われている。【０００３】
例えば特許文献１には、測定対象のひび割れと、長さが既知のマークが表示されたクラックスケールとを同時撮影し、撮影画像からひび割れの長さを計測すること、及びひび割れの面積と計測した長さとからひび割れの幅を求めることが記載されている。また、このようなクラックスケールの画像を撮影画像と重畳表示してひび割れを計測できるようにする技術が知られている。例えば特許文献２には、移動体を用いた構造物の床下点検システムにおいて、撮影画像にクラックスケールを重畳表示すること、及びスケールを移動及び／または回転することが記載されている。
【先行技術文献】
【特許文献】
【０００４】
【特許文献１】特開２００３−２１４８２７号公報
【特許文献２】特開２００９−０８５７８５号公報
【発明の概要】
【発明が解決しようとする課題】
【０００５】
上述した特許文献１に記載の技術では、クラックスケールをひび割れと同時撮影するため、ひび割れを計測する際にクラックスケールを計測対象に複数付けたり付け直したりする必要があり、計測に時間と手間がかかっていた。また、計測対象に近づけない場合は適用が困難であった。また、特許文献２に記載の技術でも、クラックスケールの表示位置や表示方向、表示条件等をユーザが逐一設定する必要があった。【０００６】
本発明はこのような事情に鑑みてなされたもので、ユーザが迅速かつ容易にひび割れを計測できる計測支援装置及び計測支援方法を提供することを目的とする。
【課題を解決するための手段】
【０００７】
上述した目的を達成するため、本発明の第１の態様に係る計測支援装置は、構造物の画像を取得する画像取得部と、構造物の測定面に生じたひび割れを計測するためのスケール画像であって、ひび割れの長さを測定するための目盛りと、ひび割れの幅を測定するための線画及び数字と、のうち少なくとも一方が付されたスケールを示すスケール画像を生成するスケール画像生成部と、構造物の画像とスケール画像とを重ね合わせて表示領域に表示する画像表示部と、を備え、スケール画像生成部は画像取得部と測定面との距離、及び測定面の向きに応じたスケール画像を生成し、画像表示部は、構造物の画像におけるひび割れの位置及び方向に応じた位置及び方向に生成したスケール画像を重ね合わせて表示する。【０００８】
第１の態様に係る計測支援装置によれば、画像取得部と測定面との距離、及び測定面の向きに応じたスケール画像が生成され、ひび割れの位置及び方向に応じた位置及び方向に重ね合わせ表示されるので、計測対象に近づいてスケールを付したりスケールの位置や方向を調整したりする手間が省け、迅速かつ容易にひび割れを計測することができる。なお第１の態様において、「構造物」の例としては橋梁、トンネル、ビル、及び道路を挙げることができるが、これらに限定されるものではない。また、構造物はコンクリート構造物であってもよい。【０００９】
第２の態様に係る計測支援装置は第１の態様において、スケール画像生成部は、距離及び向きに応じた種類、形状、及び大きさのスケールを示すスケール画像を生成する。第２の態様によれば、画像取得部と測定面との距離及び測定面の向きに応じた種類、形状、及び大きさのスケールを示すスケール画像が生成されて表示されるので、スケール画像の生成及び表示条件を設定する手間を軽減することができる。【００１０】
第３の態様に係る計測支援装置は第２の態様において、スケール画像が示すスケールは、種類、形状、及び大きさに対応して目盛り、線画、及び数字が異なる。第３の態様はスケール画像の特徴を具体的に規定したもので、ユーザがスケール画像の表示条件を設定する手間を軽減することができる。【００１１】
第４の態様に係る計測支援装置は第１から第３の態様のいずれか１つにおいて、画像表示部は、スケール画像をひび割れの方向に沿って、またはひび割れの方向と直交した方向に沿って表示する。第４の態様では、例えばひび割れの長さを計測する場合はスケール画像をひび割れの方向に沿って表示し、ひび割れの幅を計測する場合はスケール画像をひび割れの方向と直交した方向に沿って表示する。このようにスケール画像を表示することで、表示されたスケールの移動や回転の手間を軽減でき、ユーザは迅速かつ容易にひび割れを計測することができる。【００１２】
第５の態様に係る計測支援装置は第１から第４の態様のいずれか１つにおいて、ユーザの入力に応じて構造物の画像及びスケール画像を操作する画像操作部を備える。第５の態様によれば、ユーザは計測の目的や計測対象（ひび割れ）の特徴に応じてスケール画像を操作することができる。【００１３】
第６の態様に係る計測支援装置は第５の態様において、画像操作部は、画像操作部による構造物の画像の操作に連動してスケール画像を操作する。第６の態様によれば、構造物の画像（撮影画像）の操作に連動してスケール画像が操作されるので、ユーザは構造物の画像とスケール画像とを別個に操作しなくてよく、迅速かつ容易にひび割れを計測することができる。【００１４】
第７の態様に係る計測支援装置は第１から第６の態様のいずれか１つにおいて、表示領域は、構造物の画像及びスケール画像を表示する画像表示領域と、画像表示領域に表示可能な種類のスケールを示すスケール情報を表示するスケール情報表示領域と、を含み、画像表示部はスケール情報表示領域に表示された複数のスケール情報のうちから選択したスケール情報に対応するスケール画像を画像表示領域に表示する。第７の態様によれば、ユーザは計測項目（ひび割れの長さ、幅等）や計測条件（距離、向き等）に応じて適切なスケール画像を選択することができる。なお第７の態様においてスケール情報の例としてはスケールの種類、目盛り、及び線画を挙げることができる。またスケール情報はその内容に応じた縮小画像やアイコンにより表示してもよいし、文字、数字、及び記号等を用いて表示してもよい。【００１５】
第８の態様に係る計測支援装置は第１から第７の態様のいずれか１つにおいて、構造物の画像として構造物のステレオ画像を取得する光学系と、取得したステレオ画像に基づいて距離及び向きを算出する画像処理部と、を備える。第８の態様は、測定面の距離及び向きを算出する手法の一態様を規定するものである。【００１６】
第９の態様に係る計測支援装置は第８の態様において、画像処理部はステレオ画像からひび割れの位置及び方向を検出し、画像表示部は検出した位置及び方向に基づいてスケール画像を表示する。第９の態様は、ひび割れの位置及び方向をステレオ画像から検出することを規定するものである。【００１７】
上述した目的を達成するため、本発明の第１０の態様に係る計測支援方法は、画像取得装置により構造物の画像を取得する画像取得工程と、構造物の測定面に生じたひび割れを計測するためのスケール画像であって、ひび割れの長さを測定するための目盛りと、ひび割れの幅を測定するための線画及び数字と、のうち少なくとも一方が付されたスケールを示すスケール画像を生成するスケール画像生成工程と、構造物の画像とスケール画像とを重ね合わせて表示領域に表示する画像表示工程と、を備え、スケール画像生成工程では画像取得装置と測定面との距離、及び測定面の向きに応じたスケール画像を生成し、画像表示工程では、構造物の画像において、ひび割れの位置及び方向に応じた位置及び方向に生成したスケール画像を重ね合わせて表示する。第１０の態様によれば、ユーザは第１の態様と同様に迅速かつ容易にひび割れを計測することができる。
【発明の効果】
【００１８】
以上説明したように、本発明の計測支援装置及び計測支援方法によれば、ユーザは迅速かつ容易にひび割れを計測することができる。
【図面の簡単な説明】
【００１９】
【図１】図１は、構造物の例である橋梁を示す図である。
【図２】図２は、本発明の実施形態に係る計測支援装置の構成を示すブロック図である。
【図３】図３は、本発明の実施形態に係る計測支援方法の処理を示すフローチャートである。
【図４】図４は、測定面の距離に応じたスケール画像の例を示す図である。
【図５】図５は、測定面の距離に応じたスケール画像の例を示す他の図である。
【図６】図６は、測定面の距離に応じたスケール画像の例を示すさらに他の図である。
【図７】図７は、測定面の距離に応じたスケール画像の例を示すさらに他の図である。
【図８】図８は、測定面の距離及び向きを示す図である。
【図９】図９は、測定面が正対している場合のスケール画像の表示例を示す図である。
【図１０】図１０は、測定面が傾いている場合のスケール画像の表示例を示す図である。
【図１１】図１１は、測定面が傾いている場合のスケール画像の表示例を示す他の図である。
【図１２】図１２は、表示領域にひび割れの画像を表示した例を示す図である。
【図１３】図１３は、ひび割れの画像とスケール画像とを重ね合わせて表示した例を示す図である。
【図１４】図１４は、ひび割れの画像とスケール画像とを重ね合わせて表示した例を示す他の図である。
【図１５】図１５は、ひび割れの画像とスケール画像とを重ね合わせて表示した例を示すさらに他の図である。
【図１６】図１６は、ひび割れの画像とスケール画像とを重ね合わせて表示した例を示すさらに他の図である。
【図１７】図１７は、ひび割れの画像とスケール画像とを重ね合わせて表示した例を示すさらに他の図である。
【図１８】図１８は、ひび割れの画像とスケール画像とを重ね合わせて表示した例を示すさらに他の図である。
【図１９】図１９は、ひび割れの画像とスケール画像とを重ね合わせて表示した例を示すさらに他の図である。
【図２０】図２０は、スケール画像を移動する様子を示す図である。
【図２１】図２１は、スケール画像を移動する様子を示す他の図である。
【図２２】図２２は、スケール画像を移動する様子を示すさらに他の図である。
【図２３】図２３は、スケール画像を回転する様子を示す図である。
【図２４】図２４は、スケール画像を回転する様子を示す他の図である。
【図２５】図２５は、スケール画像を回転する様子を示すさらに他の図である。
【図２６】図２６は、画像の拡大に伴うスケール画像の拡大を示す図である。
【図２７】図２７は、画像の拡大に伴うスケール画像の拡大を示す他の図である。
【図２８】図２８は、スケール画像を用いた計測の様子を示す図である。
【図２９】図２９は、スケール画像を用いた計測の様子を示す他の図である。
【図３０】図３０は、計測結果の表示例を示す図である。
【発明を実施するための形態】
【００２０】
以下、添付図面を参照しつつ、本発明に係る計測支援装置及び計測支援方法の実施形態について説明する。
【００２１】
図１は、本発明に係る計測支援装置及び計測支援方法の適用対象の一例である橋梁１（コンクリート構造物）の構造を示す斜視図である。図１に示す橋梁１は主桁３を有し、主桁３は接合部３Ａで接合されている。主桁３は橋台や橋脚の間に渡され、床版２上の車輌等の荷重を支える部材である。また、主桁３の上部には車輌等が走行するための床版２が打設されている。床版２は鉄筋コンクリート製のものが一般的である。なお橋梁１は、床版２及び主桁３の他に図示せぬ横桁、対傾構、及び横構等の部材を有する。
【００２２】
＜画像の取得＞
橋梁１の損傷を計測する場合、検査員はデジタルカメラ１０４（図２参照）を用いて橋梁１を下方から撮影し（図１のＣ方向）、検査範囲について画像を取得する。撮影は、橋梁１の延伸方向（図１のＡ方向）及びその直交方向（図１のＢ方向）に適宜移動しながら行う。なお橋梁１の周辺状況により検査員の移動が困難な場合は、橋梁１に沿って移動可能な移動体にデジタルカメラ１０４を設置して撮影を行ってもよい。このような移動体には、デジタルカメラ１０４の昇降機構及び／またはパン・チルト機構を設けてもよい。なお移動体の例としては車輌、ロボット、及び飛翔体を挙げることができるが、これらに限定されるものではない。
【００２３】
＜計測支援装置の構成＞
図２は、本実施形態に係る計測支援装置１００の概略構成を示すブロック図である。計測支援装置１００は、画像取得部１０２（画像取得装置）、画像処理部１０８（スケール画像生成部、画像表示部、画像操作部）、記録部１１０、表示部１１２（画像表示部）、及び操作部１１４を備え、これら各部は互いに接続されていて、必要な情報を送受信できるようになっている。
【００２４】
上述した各部の機能は、例えばＣＰＵ（Central Processing Unit）等の制御デバイスがメモリに記憶されたプログラムを実行することで実現できる。また、画像入力部１０６は無線通信用アンテナ及び入出力インタフェース回路を含み、記録部１１０はＨＤＤ（Hard Disk Drive）等の非一時的記録媒体を含んで構成される。また表示部１１２は液晶ディスプレイ等の表示デバイスを含み、操作部１１４はキーボードやマウス等の入力及び操作デバイスを含む。なおこれらは本発明に係る計測支援装置の構成の一例を示すものであり、他の構成を適宜採用し得る。
【００２５】
上述のようにデジタルカメラ１０４（画像取得装置）を用いて撮影された画像は、無線通信により画像入力部１０６に入力されて、画像処理部１０８により計測処理（後述）が行われる。デジタルカメラ１０４及び画像入力部１０６は画像取得部１０２を構成する。なお、デジタルカメラ１０４は左目画像取得用の左画像用光学系１０４Ｌと右目画像取得用の右画像用光学系１０４Ｒとを備え、これら光学系により同一の被写体（本実施形態では橋梁１）を複数の視点から撮影してステレオ画像を取得できる。左画像用光学系１０４Ｌ及び右画像用光学系１０４Ｒは、図示せぬ撮影レンズ及び撮像素子を備える。撮像素子の例としてはＣＣＤ（Charge Coupled Device）型の撮像素子及びＣＭＯＳ（Complementary Metal-Oxide Semiconductor）型の撮像素子を挙げることができる。撮像素子の受光面上にはＲ（赤），Ｇ（緑），またはＢ（青）のカラーフィルタが設けられており、各色の信号に基づいて被写体のカラー画像を取得することができる。
【００２６】
＜計測の手順＞
次に、上述した構成の計測支援装置１００を用いたひび割れの計測について説明する。図３は本実施形態に係る計測の手順（計測支援方法）を示すフローチャートである。なお、本実施形態ではコンクリート構造物である橋梁１の床版２に生じたひび割れを計測する場合について説明する。
【００２７】
＜画像取得＞
まず、上述のようにデジタルカメラ１０４で撮影した橋梁１のステレオ画像を、無線通信により画像入力部１０６に入力する（ステップＳ１００；画像取得工程）。橋梁１の画像は検査範囲に応じて複数入力され、また入力する画像には、デジタルカメラ１０４により撮影日時の情報が付加されている。なお入力画像の撮影日時は必ずしも全ての画像において同一である必要はなく、複数日に亘っていてもよい。画像は複数の画像を一括して入力してもよいし、一度に１つの画像を入力するようにしてもよい。また、撮影した画像をそのまま入力するのではなく、編集及び／または合成等の画像処理を施した画像（例えば、計測範囲の一部を撮影した画像を合成して生成した、計測範囲全体を示す画像）を入力してもよい。以下の説明では、構造物を撮影して得られた画像であれば、そのような画像処理を施した画像についても「撮影画像」と記載する。なお、橋梁１の画像は無線通信でなく各種メモリカード等の非一時的記録媒体を介して入力してもよいし、既に撮影され記録されている画像のデータをネットワーク経由で入力してもよい。
【００２８】
＜測定面の距離及び向き＞
次に、ステップＳ１００で取得したステレオ画像に基づいて、ひび割れが存在する測定面の距離及び向きを算出する（ステップＳ１１０）。本実施形態ではステップＳ１００で橋梁１のステレオ画像を入力しているので、入力したステレオ画像から各画素位置での視差を算出し、算出した視差に基づいて測定面の向きを算出することができる。なおステップＳ１１０では、デジタルカメラ１０４と測定面との距離を測定面の距離とし、ステップＳ１００で取得したステレオ画像の撮影方向に対する測定面の向きを測定面の向きとすることができる。なお測定面の距離及び向きの測定はデジタルカメラ１０４で取得したステレオ画像を用いるのではなく、光源を備えたデジタルカメラからパルス光を照射してその反射光を受光し、受光した反射光に基づいて測定面の距離及び向きを算出する、いわゆるＴＯＦ（Time Of Flight）方式により行うようにしてもよい。
【００２９】
＜スケール画像の生成＞
次に、画像処理部１０８（スケール画像生成部）はスケール画像を生成する（ステップＳ１２０；スケール画像生成工程）。スケール画像とは、ひび割れの長さを測定するための目盛りと、ひび割れの幅を測定するための線画及び数字と、のうち少なくとも一方が付されたスケール（クラックスケール）を示す画像であり、画像処理部１０８は、ステップＳ１１０で算出した距離及び向きに応じた種類、形状、及び大きさのスケール画像を生成する。このスケール画像は、種類、形状、及び大きさに対応して目盛り、線画、及び数字が異なる。なお画像処理部１０８は、このようにして生成したスケール画像を表示部１１２に表示する（画像表示の詳細は後述する）。
【００３０】
＜測定面の距離とスケール画像との関係＞
距離に応じたスケール画像の例を図４〜７に示す。図４は測定面まで遠い場合のスケール画像ＣＳ１０Ａを示す図である。このようなスケール画像ＣＳ１０Ａを用いることで、長いひび割れを一度に測定することができる。図５，６は測定面までの距離がそれぞれ中距離、近距離の場合のスケール画像ＣＳ１０Ｂ，ＣＳ１０Ｃを示す図である。これらの図に示すスケール画像では、図４に示すスケール画像ＣＳ１０Ａよりも短いひび割れを測定できるように目盛り及び数字が付されている。
【００３１】
図７は、図６よりもさらに近距離の場合のスケール画像ＣＳ１１を示す図である。同一の条件で同一のひび割れを撮影する場合、測定面までの距離が近づくにつれてひび割れが太く写り幅の測定に適した状態になるため、図７の例では、距離が一定値以下のときは幅測定用のスケール画像ＣＳ１１を生成及び表示する。スケール画像ＣＳ１１において、幅測定用の線画（太さの異なる直線）及び数字、線画は数値に対応した太さになっており、ひび割れに線画を合わせて、ひび割れの幅と合った線画の数値を読み取ることで幅を測定できる。
【００３２】
なお、図４〜７はスケール画像の一例を示すものであり、本発明におけるスケール画像の態様や距離との関係はこれらの例に限定されるものではない。例えば、図７の状態に対応する距離でも長さ測定用のスケール画像を表示してもよい。また、図４〜７では長さ測定用の情報（目盛り及び数字）と、幅測定用の情報（線画及び数字）とのうち一方が付されたスケール画像の例を示しているが、１つのスケール画像にこれら情報の両方を付して表示してもよい。後述する画像表示においても同様である。
【００３３】
＜測定面の向きとスケール画像との関係＞
次に、測定面の向きとスケール画像との関係について説明する。図８はデジタルカメラ１０４の撮影位置及び撮影方向を示す図である。なお図８において測定面Ｅ１は紙面に垂直方向であるものとする。
【００３４】
図８においてデジタルカメラ１０４が測定面Ｅ１の正面から撮影している場合（位置Ｐ１，撮影方向Ｄ１）、測定面Ｅ１上の矩形の領域は撮影画像ｉ１中で矩形となる。したがってこの場合は、図９のように矩形のスケール画像ＣＳ２０を画像表示領域ＩＡに表示（後述するステップＳ１３０；以下同様）すればよい。一方、デジタルカメラ１０４が測定面Ｅ１に対し斜め方向から撮影している場合（位置Ｐ２、撮影方向Ｄ２）、測定面Ｅ１上の矩形の領域は撮影画像中で台形状となる。この場合、図１０の例のように撮影画像ｉ３を正面から撮影した画像のように補正（射影変換）して矩形のスケール画像ＣＳ２０を表示することも可能であるが、そうすると撮影範囲の一部に合焦し他の部分ではボケが目立ち見にくい画像となる（したがってひび割れの計測が困難になったり精度が低下したりする）場合がある。例えば、撮影範囲の中央部分で合焦し撮影範囲の端部Ｆ１の付近ではボケが目立つことが考えられる。
【００３５】
このような観点から、本実施形態では図１１に示すように撮影画像ｉ２は補正せず、測定面Ｅ１の向き（撮影画像ｉ２の撮影方向Ｄ２に対する測定面Ｅ１の向き）に合わせて変形したスケール画像ＣＳ２０Ａを表示する。図１１は、デジタルカメラ１０４が図８の位置Ｐ２において撮影方向Ｄ２を撮影している場合の例であり、図８，１１の右側（手前側）から左側（奥側）に向かうにつれてデジタルカメラ１０４からの距離が遠くなっている。このためスケール画像ＣＳ２０Ａも、図１１の右側において幅が広く左側に向かうにつれて幅が狭くなるように変形されている。このように本実施形態では撮影画像ｉ２に対して補正（射影変換）を行わないため、画像処理によりボケ増加等の画像劣化が生じることがなく、撮影画像ｉ２の画質を維持してひび割れの計測を行うことができる。
【００３６】
なお、図４〜７に示すような距離に応じたスケール画像の切換表示と、図１１に示すような距離に応じたスケール画像の変形表示とは、両方を併せて行ってよい。即ち、測定面の距離に応じてスケール画像の種類を切り替え、かつ測定面の向きに応じて変形した画像を表示してよい。
【００３７】
＜撮影画像及びスケール画像の表示＞
ステップＳ１２０で測定面の距離及び向きに応じたスケール画像を生成すると、画像処理部１０８は、撮影画像とスケール画像とを重ね合わせて表示部１１２の画像表示領域ＩＡに表示する（ステップＳ１３０；画像表示工程）。以下、撮影画像及びスケール画像の表示について説明する。なお以下の例では、３つのひび割れＣＲ１−１〜ＣＲ１−３で構成されるひび割れＣＲ１を表示する場合について説明する。
【００３８】
図１２は表示部１１２における画像表示の例を示す図である。図１２では、表示領域ＤＡ１は画像表示領域ＩＡ及びスケール情報表示領域ＳＡ１を含む。画像表示領域ＩＡは撮影画像及びスケール画像を表示する領域であり、スケール情報表示領域ＳＡ１は画像表示領域ＩＡに表示可能な種類のスケールを示すスケール情報を表示する領域である。図１２ではスケール情報としてスケール画像（縮小画像）を表示しているが、このような縮小画像に代えて、または縮小画像に加えてスケール画像を示す文字、数字、及び記号を表示してもよい。スケール情報表示領域ＳＡ１には、スケール情報の他に、スケール画像の選択を確定するＯＫボタンＢＵ１、選択をキャンセルするキャンセルボタンＢＵ２、画像表示領域ＩＡに表示されたスケール画像を消去する消去ボタンＢＵ３が表示される。これらのボタンは、操作部１１４に備えられたマウス等の操作デバイスで操作できる。なお、スケール画像の選択及び表示は、初期状態では画像処理部１０８が測定面の距離及び向きに応じて自動的に行い、それをユーザ操作により変更するようにしてもよい。
【００３９】
図１２の例では長さ測定用のスケール及び幅測定用のスケールを示すスケール画像ＣＳ１〜ＣＳ４（縮小画像）がスケール情報表示領域ＳＡ１に表示されている。スケール画像ＣＳ１，ＣＳ２は長さ測定用のスケールを示し、スケール画像ＣＳ３，ＣＳ４は幅測定用のスケールを示す。スケール情報表示領域ＳＡ１に表示されるスケール画像の種類（長さ測定用か幅測定用か、及び目盛り、線画、数値等の情報）は、測定面の距離に応じて変えてよい。
【００４０】
＜ひび割れの方向に沿った方向にスケール画像を表示する態様＞
図１３は撮影画像とスケール画像との重ね合わせ表示の例を示す図である。図１３では、長さ測定用のスケールを示すスケール画像ＣＳ２が選択され、ひび割れＣＲ１−２の付近に、ひび割れＣＲ１−２の長さ方向に沿って表示した例を示している。スケール画像ＣＳ２の目盛りを読み取ってひび割れＣＲ１−２の長さを測定することができる。なお、図１３以降の例では撮影方向が測定面に正対している場合について説明する。正対していない場合は、図１１の例のように測定面の向きに応じてスケール画像を変形して表示することができる。
【００４１】
ひび割れは直線状に連続しているものだけでなく、曲がっているものや断続的なもの、分岐しているものもある。このような場合のスケール画像の表示について、以下例を示す。図１４は、ひび割れが曲がっている場合のスケール画像の他の表示例を示す図である。図１４ではひび割れＣＲ３が大きく曲がっている（ひび割れＣＲ３−１，ＣＲ３−２のなす角度θ１が大きい）ので、ひび割れＣＲ３−１，ＣＲ３−２に対しそれぞれスケール画像ＣＳ２を表示している。一方図１５の例ではひび割れＣＲ４の曲がり方が小さい（ひび割れＣＲ４−１，ＣＲ４−２のなす角度θ２が小さい）ので、１つのスケール画像ＣＳ２を表示している。なおひび割れがなす角度に閾値を設けて、なす角度が閾値以上の場合は図１４のようにスケール画像を分けて表示し、閾値未満の場合は図１５のように１つのスケールを表示することができる。閾値の値は特に限定されないが、例えば３０°とすることができる。
【００４２】
図１６は断続的なひび割れに対するスケール画像の表示例を示す図である。図１６の例ではひび割れＣＲ５が途中で途切れておりひび割れＣＲ５−１及びＣＲ５−２になっているが、これらひび割れの方向はほぼ同じなので、１つのスケール画像ＣＳ２を表示している。
【００４３】
図１７は分岐したひび割れに対するスケール画像の表示例を示す図である。図１７の例ではひび割れＣＲ６を構成するひび割れＣＲ６−１が分岐しておりひび割れＣＲ６−２及びＣＲ６−３になっているので、ひび割れの幹部分（ひび割れＣＲ６−１，ＣＲ６−２）及び枝部分（ひび割れＣＲ６−３）に対しそれぞれスケール画像ＣＳ２を表示している。
【００４４】
なお、ひび割れの長さ方向に沿った方向にスケール画像を表示する場合の態様は図１３〜１７に示した例に限定されるものではない。また、ひび割れの長さがスケール画像で測定できる範囲内またはその範囲と同程度の長さであって、ひび割れの長さの目安が測定できる状態であれば、ひび割れの長さ方向とスケール画像の方向が完全に一致していなくても「ひび割れの長さ方向に沿った方向にスケール画像が表示されている」と判断してよい。
【００４５】
＜ひび割れの方向と直交する方向にスケール画像を表示する態様＞
図１８は撮影画像とスケール画像との重ね合わせ表示の他の例を示す図である。図１８では、幅測定用のスケールを示すスケール画像ＣＳ３が選択され、ひび割れＣＲ１−１の付近に、ひび割れＣＲ１−１の方向と直交する方向に沿って表示した例を示している。表示されたスケール画像ＣＳ３を適宜移動してひび割れの幅に合った線画の数値を読み取ることで、ひび割れＣＲ１−１の幅を測定することができる。
【００４６】
上述した重ね合わせ表示において、スケール画像は複数表示してもよい。また、長さ測定用のスケール画像と幅測定用のスケール画像とを混在して表示してもよい。図１９は、長さ測定用のスケール画像ＣＳ２及び幅測定用のスケール画像ＣＳ３を表示した状態を示す図である。このように、本実施形態では計測の目的やひび割れの特徴に応じて適切なスケール画像を表示して計測を行うことができる。
【００４７】
図１３〜１９の例において、画像処理部１０８は、ひび割れの位置及び方向に応じた位置及び方向にスケール画像を重畳表示している。この際、ひび割れの位置及び方向は撮影画像からひび割れを抽出することで求められる。ひび割れの抽出は種々の手法により行うことができるが、例えば特開2006-162583号公報に記載されたひび割れ検出方法を用いることができる。この方法は、対比される２つの濃度に対応したウェーブレット係数を算定すると共に、該２つの濃度をそれぞれ変化させた場合のそれぞれのウェーブレット係数を算定してウェーブレット係数テーブルを作成し、ひび割れ検出対象であるコンクリート表面を撮影した入力画像をウェーブレット変換することによってウェーブレット画像を作成する工程と、ウェーブレット係数テーブル内において、局所領域内の近傍画素の平均濃度と注目画素の濃度に対応するウェーブレット係数を閾値として、注目画素のウェーブレット係数と該閾値とを比較することによりひび割れ領域とひび割れでない領域を判定する工程とからなるひび割れ検出方法である。
【００４８】
ひび割れの抽出は、上述の特開2006-162583号公報に記載された方法だけでなく、下記の非特許文献１に記載の方法を用いて行うこともできる。非特許文献１に記載の方法では、閾値未満の輝度値を有する画素で構成された領域をパーコレイションされた領域（パーコレイション領域）とし、そのパーコレイション領域の形状に応じて閾値を順次更新し、表面画像よりひび割れの検出を行っている。なお、パーコレイション法とは一般に自然界における水の浸透（パーコレイション）を模して領域を順次拡大させる方法である。
【００４９】
［非特許文献１］Tomoyuki Yamaguchi、「A Study on Image Processing Method for Crack Inspection of Real Concreate Surfaces」、MAJOR IN PURE AND APPLIED PHYSICS, GRADUATE SCHOOL OF SCIENCE AND ENGINEERING, WASEDA UNIVERSITY、２００８年２月
＜画像操作及び画像操作に基づく画像表示＞
ステップＳ１３０で撮影画像及びスケール画像が表示されたら、画像処理部１０８はユーザによる撮影画像及び／またはスケール画像の操作が検出されたか否かを判断する（ステップＳ１４０）。ユーザによる操作が検出されたら（ステップＳ１４０でＹｅｓ）、画像処理部１０８は検出結果に応じて撮影画像及び／またはスケール画像を操作し（ステップＳ１５０）、操作後の画像を表示する（ステップＳ１６０；画像表示工程）。以下、ステップＳ１５０の画像操作及びステップＳ１６０の画像表示について説明する。
【００５０】
＜スケール画像の移動＞
図２０〜２２はスケール画像の移動操作の例を示す図である。図２０〜２２では、表示領域ＤＡ２内のスケール情報表示領域ＳＡ２に、スケール画像ＣＳ２を操作するための移動ボタンＢＵ４及び回転ボタンＢＵ５が表示されている。図２０のようにスケール画像ＣＳ２が表示された状態で移動ボタンＢＵ４が選択されると、図２１に示すように、操作部１１４のマウス等を介した操作によりスケール画像ＣＳ２が長さ方向Ｌ１、及び長さ方向Ｌ１に直交する方向Ｌ２に移動できるようになる。図２２はそのようにしてスケール画像ＣＳ２をひび割れＣＲ１−１の付近に移動した様子を示す図である。画像処理部１０８は移動操作の方向及び大きさに応じた位置にスケール画像ＣＳ２を表示（描画）する。これにより、ユーザは迅速かつ容易に計測を行うことができる。
【００５１】
＜スケール画像の回転＞
図２３は、スケール画像の回転操作の例を示す図である。回転ボタンＢＵ５が選択されると、操作部１１４を介した操作によりスケール画像ＣＳ２が点Ｐ３を中心として矢印Ｒ１方向に回転できるようになる。図２４はそのようにしてスケール画像ＣＳ２を回転した様子を示す図であり、図２４の状態から図２１，２２と同様にスケール画像ＣＳ２をＬ３方向に移動してひび割れＣＲ１−３に近づけ、長さを測定することができる。なお、スケール画像は、点Ｐ３のようなコーナー部の点ではなく中央部の点を中心として回転してもよい。例えば、図２５に示すようにスケール画像ＣＳ２の中央部の点Ｐ４を回転中心として矢印Ｒ２方向に回転させてもよい。
【００５２】
＜撮影画像の拡大＞
図２６は撮影画像の拡大操作の例を示す図である。図２６では表示領域ＤＡ３内のスケール情報表示領域ＳＡ３に撮影画像操作用の拡大ボタンＢＵ６、縮小ボタンＢＵ７、回転ボタンＢＵ８、移動ボタンＢＵ９が表示されていて、拡大ボタンＢＵ６を選択すると画像表示領域ＩＡに表示された撮影画像を拡大することができる。図２７は拡大後の撮影画像を示す図であり、図２６で表示されていたひび割れＣＲ２が拡大されてひび割れＣＲ２Ａとして表示されている。また、このような撮影画像の拡大と連動して、撮影画像の拡大前に表示されていたスケール画像ＣＳ２も拡大操作され、スケール画像ＣＳ２Ａとして表示される。この際、図２７に示すように、スケール画像の拡大に連動して目盛り及び数値も変更される。このような撮影画像の拡大に連動したスケール画像の拡大により、ユーザは迅速かつ容易に計測を行うことができる。
【００５３】
なお、画像操作としては、上述した移動、回転、及び拡大以外に縮小等他の操作を行ってもよい。また、上述した例ではマウス等の操作デバイスによりスケール画像及び撮影画像を操作する場合について説明したが、本発明においてスケール画像及び撮影画像の操作はこのような形態に限定されるものではない。例えば、表示領域をタッチパネルで構成し、ユーザのタップ操作やピンチ操作に基づいて操作を行うようにしてもよい。
【００５４】
＜計測結果の記録＞
ユーザ操作に基づく画像操作及び画像表示が終了したら、画像処理部１０８及び記録部１１０は計測結果を記録する（ステップＳ１７０）。図２８は計測結果の記録例を示す図である。図２８は、表示領域ＤＡ４内に表示された情報表示領域ＳＡ４に、点Ｐ５におけるひび割れＣＲ１−１の幅（ここでは１．４ｍｍ）を入力する例を示している。また図２９は、表示領域ＤＡ５内に表示された情報表示領域ＳＡ５に、点Ｐ６，Ｐ７をそれぞれ始点、終点とするひび割れＣＲ１−２の長さ（ここでは５０ｍｍ）を入力する例を示している。これらの図に示す例において、ユーザは操作部１１４を介してひび割れの長さ及び／または幅を入力することができる。このようにして入力した計測結果は記録部１１０に記録される。
【００５５】
ステップＳ１７０で計測結果が記録されたら、画像処理部１０８は計測が終了したか否かを判断する（ステップＳ１８０）。この判断は、操作部１１４を介したユーザの指示入力により行うことができる。判断が肯定されたら（ステップＳ１８０でＹｅｓ）ステップＳ１９０へ進んで計測結果を表示し、否定されたら（ステップＳ１８０でＮｏ）ステップＳ１４０へ戻る。
【００５６】
＜計測結果の表示＞
図３０はステップＳ１９０における計測結果表示の例を示す図である。図３０では、ステップＳ１７０で記録した計測結果（ここではひび割れＣＲ１−１の幅及びひび割れＣＲ１−２の長さ）が、表示領域ＤＡ６の画像表示領域ＩＡにおいて吹き出しＢＡ１，ＢＡ２により表示されている。このような表示は、画像処理部１０８が記録部１１０に記録された計測結果を参照して行うことができる。なお、図２８〜３０では図１２〜２７に示すようなスケール画像（縮小画像）及び一部ボタンの表示は省略しているが、必要に応じ表示してもよい。
【００５７】
以上説明したように、本実施形態の計測支援装置１００及び計測支援方法によれば、ユーザは迅速かつ容易にひび割れを計測することができる。なお本発明は上述した実施形態に限定されず、本発明の精神を逸脱しない範囲で種々の変形が可能である。
【符号の説明】
【００５８】
１  橋梁
２  床版
３  主桁
３Ａ  接合部
１００  計測支援装置
１０２  画像取得部
１０４  デジタルカメラ
１０４Ｌ  左画像用光学系
１０４Ｒ  右画像用光学系
１０６  画像入力部
１０８  画像処理部
１１０  記録部
１１２  表示部
１１４  操作部
ＢＡ１  吹き出し
ＢＡ２  吹き出し
ＢＵ１  ＯＫボタン
ＢＵ２  キャンセルボタン
ＢＵ３  消去ボタン
ＢＵ４  移動ボタン
ＢＵ５  回転ボタン
ＢＵ６  拡大ボタン
ＢＵ７  縮小ボタン
ＢＵ８  回転ボタン
ＢＵ９  移動ボタン
ＣＲ１  ひび割れ
ＣＲ１−１  ひび割れ
ＣＲ１−２  ひび割れ
ＣＲ１−３  ひび割れ
ＣＲ２  ひび割れ
ＣＲ２Ａ  ひび割れ
ＣＲ３  ひび割れ
ＣＲ３−１  ひび割れ
ＣＲ３−２  ひび割れ
ＣＲ４  ひび割れ
ＣＲ４−１  ひび割れ
ＣＲ４−２  ひび割れ
ＣＲ５  ひび割れ
ＣＲ５−１  ひび割れ
ＣＲ５−２  ひび割れ
ＣＲ６  ひび割れ
ＣＲ６−１  ひび割れ
ＣＲ６−２  ひび割れ
ＣＲ６−３  ひび割れ
ＣＳ１  スケール画像
ＣＳ１０Ａ  スケール画像
ＣＳ１０Ｂ  スケール画像
ＣＳ１１  スケール画像
ＣＳ２  スケール画像
ＣＳ２０  スケール画像
ＣＳ２０Ａ  スケール画像
ＣＳ３  スケール画像
ＣＳ４  スケール画像
Ｄ１  撮影方向
Ｄ２  撮影方向
ＤＡ１  表示領域
ＤＡ２  表示領域
ＤＡ３  表示領域
ＤＡ４  表示領域
ＤＡ５  表示領域
ＤＡ６  表示領域
Ｅ１  測定面
Ｆ１  端部
ＩＡ  画像表示領域
Ｌ１  方向
Ｌ２  方向
Ｒ１  矢印
Ｒ２  矢印
Ｓ１００〜Ｓ１９０  計測方法の各ステップ
ＳＡ１  スケール情報表示領域
ＳＡ２  スケール情報表示領域
ＳＡ３  スケール情報表示領域
ＳＡ４  情報表示領域
ＳＡ５  情報表示領域
ｉ１  撮影画像
ｉ２  撮影画像
ｉ３  撮影画像
θ１  角度
θ２  角度
【図１】
2017122641.tif 000003
【図２】
2017122641.tif 000004
【図３】
2017122641.tif 000005
【図４】
2017122641.tif 000006
【図５】
2017122641.tif 000007
【図６】
2017122641.tif 000008
【図７】
2017122641.tif 000009
【図８】
2017122641.tif 000010
【図９】
2017122641.tif 000011
【図１０】
2017122641.tif 000012
【図１１】
2017122641.tif 000013
【図１２】
2017122641.tif 000014
【図１３】
2017122641.tif 000015
【図１４】
2017122641.tif 000016
【図１５】
2017122641.tif 000017
【図１６】
2017122641.tif 000018
【図１７】
2017122641.tif 000019
【図１８】
2017122641.tif 000020
【図１９】
2017122641.tif 000021
【図２０】
2017122641.tif 000022
【図２１】
2017122641.tif 000023
【図２２】
2017122641.tif 000024
【図２３】
2017122641.tif 000025
【図２４】
2017122641.tif 000026
【図２５】
2017122641.tif 000027
【図２６】
2017122641.tif 000028
【図２７】
2017122641.tif 000029
【図２８】
2017122641.tif 000030
【図２９】
2017122641.tif 000031
【図３０】
2017122641.tif 000032
【手続補正書】
【提出日】平成29年6月14日(2017.6.14)
【手続補正１】
【補正対象書類名】特許請求の範囲
【補正対象項目名】全文
【補正方法】変更
【補正の内容】
【特許請求の範囲】
【請求項１】
構造物の画像を取得する画像取得部と、
前記構造物の測定面に生じたひび割れを計測するためのスケール画像であって、前記ひび割れの長さを測定するための目盛りと、前記ひび割れの幅を測定するための線画及び数字と、のうち少なくとも一方が付されたスケールを示すスケール画像を生成するスケール画像生成部と、
前記構造物の画像と前記スケール画像とを重ね合わせて表示領域に表示する画像表示部と、
を備え、
前記スケール画像生成部は前記画像取得部と前記測定面との距離、及び前記測定面の向きに応じたスケール画像を生成し、
前記画像表示部は、前記構造物の画像における前記ひび割れの位置及び方向に応じた位置及び方向に前記生成したスケール画像を重ね合わせて表示し、
前記スケール画像生成部は、前記距離及び前記向きに応じた種類、形状、及び大きさのスケールを示すスケール画像を生成し、
前記種類は、前記ひび割れの長さ測定用のスケール画像及び前記ひび割れの幅測定用のスケール画像のうち少なくとも一方を含む計測支援装置。
【請求項２】
前記スケール画像が示す前記スケールは、前記種類、前記形状、及び前記大きさに対応して前記目盛り、前記線画、及び前記数字が異なる請求項１に記載の計測支援装置。
【請求項３】
前記画像表示部は、前記スケール画像を前記ひび割れの方向に沿って、または前記ひび割れの方向と直交した方向に沿って表示する請求項１または２に記載の計測支援装置。
【請求項４】
ユーザの入力に応じて前記構造物の画像及び前記スケール画像を操作する画像操作部を備える請求項１から３のいずれか１項に記載の計測支援装置。
【請求項５】
前記画像操作部は、前記画像操作部による前記構造物の画像の操作に連動して前記スケール画像を操作する請求項４に記載の計測支援装置。
【請求項６】
前記構造物の画像として前記構造物のステレオ画像を取得する光学系と、前記取得したステレオ画像に基づいて前記距離及び前記向きを算出する画像処理部と、を備える請求項１から５のいずれか１項に記載の計測支援装置。
【請求項７】
前記画像処理部は前記ステレオ画像から前記ひび割れの前記位置及び前記方向を検出し、前記画像表示部は前記検出した前記位置及び前記方向に基づいて前記スケール画像を表示する請求項６に記載の計測支援装置。
【請求項８】
画像取得装置により構造物の画像を取得する画像取得工程と、
前記構造物の測定面に生じたひび割れを計測するためのスケール画像であって、前記ひび割れの長さを測定するための目盛りと、前記ひび割れの幅を測定するための線画及び数字と、のうち少なくとも一方が付されたスケールを示すスケール画像を生成するスケール画像生成工程と、
前記構造物の画像と前記スケール画像とを重ね合わせて表示領域に表示する画像表示工程と、
を備え、
前記スケール画像生成工程では前記画像取得装置と前記測定面との距離、及び前記測定面の向きに応じたスケール画像を生成し、
前記画像表示工程では、前記構造物の画像において、前記ひび割れの位置及び方向に応じた位置及び方向に前記生成したスケール画像を重ね合わせて表示し、
前記種類は、前記ひび割れの長さ測定用のスケール画像及び前記ひび割れの幅測定用のスケール画像のうち少なくとも一方を含む計測支援方法。
【請求項９】
構造物の画像を取得する画像取得部と、
前記構造物の測定面に生じたひび割れを計測するためのスケール画像であって、前記ひび割れの長さを測定するための目盛りと、前記ひび割れの幅を測定するための線画及び数字と、のうち少なくとも一方が付されたスケールを示すスケール画像を生成するスケール画像生成部と、
前記構造物の画像と前記スケール画像とを重ね合わせて表示領域に表示する画像表示部と、
を備え、
前記スケール画像生成部は前記画像取得部と前記測定面との距離、及び前記測定面の向きに応じたスケール画像を生成し、
前記画像表示部は、前記構造物の画像における前記ひび割れの位置及び方向に応じた位置及び方向に前記生成したスケール画像を重ね合わせて表示し、
前記表示領域は、前記構造物の画像及び前記スケール画像を表示する画像表示領域と、前記画像表示領域に表示可能な種類のスケールを示すスケール情報を表示するスケール情報表示領域と、を含み、
前記画像表示部は前記スケール情報表示領域に表示された複数のスケール情報のうちから選択したスケール情報に対応するスケール画像を前記画像表示領域に表示する計測支援装置。
【請求項１０】
画像取得装置により構造物の画像を取得する画像取得工程と、
前記構造物の測定面に生じたひび割れを計測するためのスケール画像であって、前記ひび割れの長さを測定するための目盛りと、前記ひび割れの幅を測定するための線画及び数字と、のうち少なくとも一方が付されたスケールを示すスケール画像を生成するスケール画像生成工程と、
前記構造物の画像と前記スケール画像とを重ね合わせて表示領域に表示する画像表示工程と、
を備え、
前記スケール画像生成工程では前記画像取得装置と前記測定面との距離、及び前記測定面の向きに応じたスケール画像を生成し、
前記画像表示工程では、前記構造物の画像において、前記ひび割れの位置及び方向に応じた位置及び方向に前記生成したスケール画像を重ね合わせて表示し、
前記表示領域は、前記構造物の画像及び前記スケール画像を表示する画像表示領域と、前記画像表示領域に表示可能な種類のスケールを示すスケール情報を表示するスケール情報表示領域と、を含み、
前記画像表示工程は前記スケール情報表示領域に表示された複数のスケール情報のうちから選択したスケール情報に対応するスケール画像を前記画像表示領域に表示する計測支援方法。
【手続補正書】
【提出日】平成30年6月19日(2018.6.19)
【手続補正１】
【補正対象書類名】特許請求の範囲
【補正対象項目名】全文
【補正方法】変更
【補正の内容】
【特許請求の範囲】
【請求項１】
構造物の画像を取得する画像取得部と、
前記構造物の測定面に生じたひび割れを計測するためのスケール画像であって、前記ひび割れの長さを測定するための目盛りと、前記ひび割れの幅を測定するための線画及び数字と、のうち少なくとも一方が付されたスケールを示すスケール画像を生成するスケール画像生成部と、
前記構造物の画像と前記スケール画像とを重ね合わせて表示領域に表示する画像表示部と、
を備え、
前記スケール画像生成部は前記画像取得部と前記測定面との距離、及び前記測定面の向きに応じたスケール画像を生成し、
前記画像表示部は、前記構造物の画像における前記ひび割れの位置及び方向に応じた位置及び方向に前記生成したスケール画像を重ね合わせて表示する、
計測支援装置。
【請求項２】
前記スケール画像生成部は、前記距離及び前記向きに応じた種類、形状、及び大きさのスケールを示すスケール画像を生成する請求項１に記載の計測支援装置。
【請求項３】
前記スケール画像が示す前記スケールは、前記種類、前記形状、及び前記大きさに対応して前記目盛り、前記線画、及び前記数字が異なる請求項２に記載の計測支援装置。
【請求項４】
前記画像表示部は、前記スケール画像を前記ひび割れの方向に沿って、または前記ひび割れの方向と直交した方向に沿って表示する請求項１から３のいずれか１項に記載の計測支援装置。
【請求項５】
ユーザの入力に応じて前記構造物の画像及び前記スケール画像を操作する画像操作部を備える請求項１から４のいずれか１項に記載の計測支援装置。
【請求項６】
前記画像操作部は、前記画像操作部による前記構造物の画像の操作に連動して前記スケール画像を操作する請求項５に記載の計測支援装置。
【請求項７】
前記表示領域は、前記構造物の画像及び前記スケール画像を表示する画像表示領域と、前記画像表示領域に表示可能な種類のスケールを示すスケール情報を表示するスケール情報表示領域と、を含み、
前記画像表示部は前記スケール情報表示領域に表示された複数のスケール情報のうちから選択したスケール情報に対応するスケール画像を前記画像表示領域に表示する、請求項１から６のいずれか１項に記載の計測支援装置。
【請求項８】
前記構造物の画像として前記構造物のステレオ画像を取得する光学系と、前記取得したステレオ画像に基づいて前記距離及び前記向きを算出する画像処理部と、を備える請求項１から７のいずれか１項に記載の計測支援装置。
【請求項９】
前記画像処理部は前記ステレオ画像から前記ひび割れの前記位置及び前記方向を検出し、前記画像表示部は前記検出した前記位置及び前記方向に基づいて前記スケール画像を表示する請求項８に記載の計測支援装置。
【請求項１０】
前記画像表示部は、前記構造物の画像における前記ひび割れのなす角度に応じた位置及び方向に前記生成したスケール画像を重ね合わせて表示する、請求項１から９のいずれか１項に記載の計測支援装置。
【請求項１１】
前記画像表示部は、前記ひび割れのなす角度が閾値未満の場合、１つのスケール画像を重ね合わせて表示する、請求項１０に記載の計測支援装置。
【請求項１２】
前記画像表示部は、前記ひび割れのなす角度が閾値以上の場合、２以上のスケール画像を重ね合わせて表示する、請求項１０に記載の計測支援装置。
【請求項１３】
画像取得装置により構造物の画像を取得する画像取得工程と、
前記構造物の測定面に生じたひび割れを計測するためのスケール画像であって、前記ひび割れの長さを測定するための目盛りと、前記ひび割れの幅を測定するための線画及び数字と、のうち少なくとも一方が付されたスケールを示すスケール画像を生成するスケール画像生成工程と、
前記構造物の画像と前記スケール画像とを重ね合わせて表示領域に表示する画像表示工程と、
を備え、
前記スケール画像生成工程では前記画像取得装置と前記測定面との距離、及び前記測定面の向きに応じたスケール画像を生成し、
前記画像表示工程では、前記構造物の画像において、前記ひび割れの位置及び方向に応じた位置及び方向に前記生成したスケール画像を重ね合わせて表示する、
計測支援方法。
【国際調査報告】
2017122641.tif 000033
2017122641.tif 000034
2017122641.tif 000035
2017122641.tif 000036